(57)【要約】【課題】滑り止め部材を貼着した場合では、貼着された部材の密着性が高くて剥れ難く、しかも把持感の良い釣具を提供する。【解決手段】滑り止め部材を釣具の適宜位置に設けており、該滑り止め部材は釣具側が粘着材の層１４Ａであり、該粘着材の層か、又は粘着材の層の外側に、粘着性を殆ど有しない合成樹脂材の層１４Ｂを設けた２層とし、該単一層又は２層の基盤の層厚Ｈ１は概ね１５０〜５００ミクロンであり、この層内の外側部に、多数の植毛１４Ｓを配設し、層表面から突出している植毛の８０％以上の数の突出高さＨ２は、概ね１００〜６００ミクロンであるよう構成する。【選択図】        図２
2004254506.tif 000002
【特許請求の範囲】
【請求項１】
滑り止め部材を釣具の適宜位置に設けており、該滑り止め部材は釣具側が粘着材の層であり、該粘着材の層か、又は粘着材の層の外側に、粘着性を殆ど有しない合成樹脂材の層を設けた２層とし、該単一層又は２層の基盤の層厚は概ね１５０〜５００ミクロンであり、この層内の外側部に、多数の植毛を配設し、層表面から突出している植毛の８０％以上の数の突出高さは、概ね１００〜６００ミクロンであることを特徴とする釣具。
【請求項２】
前記多数の植毛は、露出している植毛端部近くの集合状況は粗であり、埋まっている層に近い根元側は相対的に密であって、植毛同士が互いに絡み合っている請求項１記載の釣具。
【請求項３】
前記植毛は合成樹脂製短繊維であり、８０％以上の数の長さは０．１５〜１．５ｍｍの範囲であって、太さは４〜８０ミクロンの範囲である請求項１又は２記載の釣具。
【請求項４】
前記基盤が２層の場合の外側合成樹脂は、滑り止め部材を設けた部位の釣具と比較して柔軟性を有する材料である請求項１〜３の何れか１記載の釣具。
【請求項５】
前記請求項１から４までの何れか１記載の特徴を有する滑り止め部材、又はより広いシート状滑り止め部材を釣具とセットにしていることを特徴とする滑り止め部材と釣具との組合せ。
【発明の詳細な説明】
【０００１】
【発明の属する技術分野】
本発明は、握り部等に滑り止め部材を設けた釣竿、リール、保冷箱等の釣具並びにそのための滑り止め部材と釣具との組合せに関する。
【０００２】
【従来の技術】
従来から釣竿等のグリップ性を向上させるために、握り部に筒状のゴム製のグリップ部材を設けて滑り難くしたり、スクリーン印刷等により竿管表面に直接に小さな凹凸を設けて滑り止めとしたりしている。また、下記特許文献１には、竿管本体表面に植毛を設けたと記載された釣竿が開示されている。また、特許文献２には竿杆先部の摘み部表面に植毛層を設けることが開示されている。
【特許文献１】
実開昭５５−１１３０６９号公報
【特許文献２】
実開平２−１４２１５８号公報
【０００３】
【発明が解決しようとする課題】
然しながら、前者のゴム製グリップでは厚さが厚く、重量増加の問題が有る。また、この場合と後者の小さな凹凸を設ける場合とは、共に、滑り止め用の位置が定まっており、ユーザーの好みの場所に設けることはできない。また、滑り止めを形成する手法として、筒状のゴム体を挿入したり、竿管に直接に凹凸を設ける他に、貼着によることも考えられる。貼着による場合は、竿管表面の凹凸曲率の大きな部位や、段差のある部位には、滑り止め部材を変形させなければならない。このため、仮に滑り止め部材が厚ければ、凹凸等の形状に馴染み難く、貼着作業が困難となる。また、貼着した後も、部材に歪みが残留して接着性（密着性）が低下する。特許文献１や２では単に植毛を設けることしか開示されていない。
依って本発明は、滑り止め部材を貼着した場合では、貼着された部材の密着性が高くて剥れ難く、しかも把持感の良い釣具の提供を目的とする。
また、ユーザーの好みに応じて貼着できる滑り止め部材と釣竿との組合せの提供を目的とする。
【０００４】
【課題を解決するための手段】
上記目的に鑑みて請求項１では、滑り止め部材を釣具の適宜位置に設けており、該滑り止め部材は釣具側が粘着材の層であり、該粘着材の層か、又は粘着材の層の外側に、粘着性を殆ど有しない合成樹脂材の層を設けた２層とし、該単一層又は２層の基盤の層厚は概ね１５０〜５００ミクロンであり、この層内の外側部に、多数の植毛を配設し、層表面から突出している植毛の８０％以上の数の突出高さは、概ね１００〜６００ミクロンであることを特徴とする釣具を提供する。
【０００５】
滑り止め部材は粘着材の層によって貼着しているため、貼着作業が容易であると共に、釣竿等のように変形する釣具においても、該滑り止め部材が共に変形可能であるため剥れ難く、耐久性が高い。また、植毛を設けている基盤は概ね５００ミクロン以下の厚さであるため、滑り止め部材は薄く、釣具表面の凹凸等の形状に馴染み易く、貼着作業が容易であって、貼着後も部材に歪みが残留し難く密着性が良い。更には軽量化に寄与する。更には、突出高さが概ね１００〜６００ミクロンの植毛であるため、握持した場合に滑り止め作用があると共に、微小粒子等の場合と比較して把持感が良く、高級感がある。
【０００６】
請求項２では、前記多数の植毛は、露出している植毛端部近くの集合状況は粗であり、埋まっている層に近い根元側は相対的に密であって、植毛同士が互いに絡み合っている請求項１記載の釣具を提供する。
端部近くが粗であるため把持した場合に把持感が良く、軽く触れた場合はソフトな肌触りで、強く把持した場合は根元部の凹凸によりしっかりした把持性が得られ、握力が５０ｋｇｆ（４９０Ｎ）程度の人であれば片手で把持した場合、トルクが７０ｋｇｆ・ｃｍ（６．８６Ｎ・ｍ）程度の力が加わっても滑らずに把持していられる。また、根元部が密で絡み合っているため、把持した場合に植毛が倒れるが、それを根元部の密な部分で受けるため、その根元部の弾力性により復元させ易い。従って、長期に亘り、把持感の良い状態が持続できる。
【０００７】
請求項３では、前記植毛は合成樹脂製短繊維であり、８０％以上の数の長さは０．１５〜１．５ｍｍの範囲であって、太さは４〜８０ミクロンの範囲である請求項１又は２記載の釣具を提供する。
上記長さの短繊維であるため、基盤からの突出量が概ね１００〜６００ミクロンとなり、この長さであって太さが４〜８０ミクロンであるため、握持した場合に滑り止め作用があると共に把持感が良い。
【０００８】
請求項４では、前記基盤の２層の場合の外側合成樹脂は、滑り止め部材を設けた部位の釣具と比較して柔軟性を有する材料である請求項１〜３の何れか１記載の釣具を提供する。
粘着層は柔軟性を有するが、この外側の合成樹脂層も柔軟性を有すれば、凹凸部等に沿い易くて剥れ難い。
また、貼着対象部位を形状的に角の少ない丸み（角部の曲率半径が１ｍｍ以上の形状）を帯びた形状にすることで使用中における手による擦れ、衣類との擦れ、移動中の他の物との擦れによっても剥れ難くなる。
【０００９】
請求項５では、前記請求項１から４までの何れか１記載の特徴を有する滑り止め部材、又はより広いシート状滑り止め部材を釣具とセットにしていることを特徴とする滑り止め部材と釣具との組合せを提供する。セットにする場合は、通常、粘着層の裏面には、使用時に剥がすシール用シート紙を設ける。
組合せにしていれば、そのまま、或いは広いシート状滑り止め部材を適宜な所望形状にカットして、ユーザーの望む部位に設けることができる。
【００１０】
【発明の実施の形態】
以下、本発明を添付図面に示す実施形態例に基づき、更に詳細に説明する。
図１は本発明に係る釣具の一例としての釣竿のリール装着部の拡大図である。竿管１０は、エポキシ樹脂等のマトリックス樹脂を炭素繊維等の強化繊維で強化した繊維強化樹脂製である。この竿管の所定位置には一般の構造用合成樹脂製筒状のリールシート本体１２を被せており、固定フード１２Ａと移動フード１２Ｂとによってリール脚の足部を固定している。このリール載置面１２Ｍとは径方向反対側表面に滑り止め部材１４を貼着している。
【００１１】
この滑り止め部材１４の断面拡大模式図を図２に示す。基盤となる粘着材の層１４Ａの表面部に、合成樹脂製の短繊維からなる植毛１４Ｓを植えている。粘着層の粘着材はアクリルやゴム等である。植毛材は、例えば、ナイロン、レーヨン、ビニロン、ポリエステル、アクリル等である。大部分の植毛の太さ（径）は４〜８０ミクロンであり、大部分の長さは０．１５〜１．５ｍｍであり、好ましい長さは０．２〜０．４ｍｍである。植え方は静電気による方法等である。
【００１２】
こうして植えた状態の植毛１４Ｓの中には、１４ＳＮで示す例のように先端側も基盤中に埋まったものや、１４ＳＫで示す例のように傾斜が急であって、寝た状態に近いもの等が混在して絡み合っている。従って、基盤に近い部位は密であり、先端部側は粗である。このことは、こうした滑り止め部材１４を把持した場合に、突出している多くの植毛の先端部が一時的に倒れるが、基盤に近い密な部分に受けられており、この密な部位の弾力性によって、把持を解除すれば再び植毛が容易に起き上がれる。
【００１３】
こうして粘着層表面部に植毛を植え付けた後に、粘着層の表面を覆うよう、粘着性の無い（少ない）他の合成樹脂の層１４Ｂを形成することもある。この合成樹脂材としては、ポリウレタンやエポキシ樹脂がある。結果としては粘着層として一層に変わりは無いが、下地の粘着層と同様に粘着性のあるアクリル樹脂で覆う場合もある。ポリウレタンのような柔軟な樹脂材の場合は、基盤が粘着層のみの場合に比較して基盤の柔軟性を害せず、凹凸のある部位にも容易に馴染ませることができる。更には、これらの合成樹脂材を染料や顔料で着色すれば、美観をも向上させることのできる装飾部品をも兼ねる。
【００１４】
こうした上側の層１４Ｂは、植毛の埋設程度を向上させて滑り止め部材１４の耐久性を向上させることができる。また、前者の粘着性の無い合成樹脂の場合は、図１のような位置に貼着して握持操作等を行った場合に、この合成樹脂が無い場合に、立っている植毛の先部が押さえ付けられて基盤である粘着層の表面部にくっ付けられてしまい、適度な突出高さＨ２が維持できず、滑り止め作用が低下することを防止する。
【００１５】
基盤１４Ａ（及び１４Ｂ）厚さＨ１は、概ね１５０〜５００ミクロンであり、好ましくは１５０〜３５０ミクロンである。植えられた植毛の大部分の突出高さＨ２は、概ね１００〜６００ミクロンである。好ましくは、概ね２００〜４００ミクロンである。こうした範囲の基盤厚さであれば、滑り止め部材シートの柔軟性が高く、貼着対象面の凹凸にも馴染み易く、貼着後に剥れ難く、耐久性が向上する上、使用中に指先が滑り止め部材の周縁に当って剥れ易くなる可能性も極めて小さい。また、植毛の高さも程よく、滑り止め効果を維持しつつ、水濡れ状態でも乾いた状態でも把持感が向上する。
【００１６】
上記形態例では滑り止め部材１４を釣竿のリール装着部に設けたが、グリップ部等に設けても良い。また、釣竿以外では、リールの一部（指で保持する部位）や、保冷箱の取っ手部等に設けることもできる。更には、販売形態としては、以上のような釣具とセットにして、該釣具の貼着予定部位に適する形状に予め裁断した滑り止め部材体を販売する形態とし、各釣人の好みに応じて、貼着したりしなかったりの選択の余地を与えたり、或いは、大き目のシート状の滑り止め部材シートを釣具とセットにして販売し、各釣人の好みに応じて各自が適宜形状に裁断し、所望部位に貼着する等の形態がある。
各所において述べた各事項は、特に矛盾の無い限りは、夫々、任意に組み合わせることができる。
【００１７】
【発明の効果】
以上の説明から明らかなように本発明によれば、滑り止め部材が貼着された釣具では、貼着された部材の密着性が高くて剥れ難く、しかも把持感が良い。また、ユーザーの好みに応じて貼着できる滑り止め部材と釣竿との組合せが提供可能となる。この滑り止め部材により、太陽光に熱せられた場合には把持した際の熱さが和らげられ、厳寒時には冷たさが和らげられる。
【図面の簡単な説明】
【図１】図１は本発明に係る釣具の例としての釣竿要部の図である。
【図２】図２は図１に使用の滑り止め部材の断面拡大模式図である。
【符号の説明】
１０                竿管
１４                滑り止め部材
１４Ａ              粘着層
１４Ｂ              他の合成樹脂層
１４Ｓ              植毛
Ｈ１                基盤厚さ
Ｈ２                植毛の突出高さ
【図１】
2004254506.tif 000003
【図２】
2004254506.tif 000004